(57)【要約】【課題】エアロゾル分光分析装置を小型化し、且つ較正方法の効率を向上させる。【解決手段】エアロゾル分光分析装置は、レーザ照射部４、分析セル２、較正用標準物質セル１６、およびスライド機構１５ａを有する。レーザ照射部４は、エアロゾルに照射するとプラズマ光７が発生するレーザ光５を生成する。分析セル２は、エアロゾルを含む気体媒体が流通する流路２ａとレーザ光５の光路とが交差可能である。較正用標準物質セル１６は、較正用標準物質１９を内部に収容して密封された蒸発室１８と、蒸発室１８近傍に配置されて少なくとも異なる２種類の設定温度に制御可能なヒータ１７とを有する。ヒータ１７によって蒸発室１８内を加温したときに発生する蒸気にレーザ光５が照射される。スライド機構１５ａは、分析セル２および較正用標準物質セル１６を移動可能で、気体媒体流路２ａおよび蒸発室１８のうち一方を選択的にレーザ光５と交差させる。【選択図】図１
2010169444.tif 000002
【特許請求の範囲】
【請求項１】
気体媒体内のエアロゾルに含まれる元素濃度をレーザ生成プラズマ分光法により定量分析するエアロゾル分光分析装置において、
前記気体媒体内のエアロゾルに照射するとプラズマが発生するレーザ光を生成するレーザ照射部と、
前記エアロゾルを含む前記気体媒体が供給される供給口と、前記気体媒体を排気する排気口と、前記供給口および排気口を互いに繋ぐように形成された気体媒体流路とが形成されて、この気体媒体流路と前記レーザ光の光路とが交差可能に構成された分析セルと、
前記分析セルの近傍に並んで配置されて前記エアロゾルに含まれて分析対象となる元素と同じ元素を含む較正用化合物を内部に収容して密封された蒸発室と、この蒸発室近傍に配置されて少なくとも異なる２種類の設定温度に制御可能なヒータとを備え、このヒータによって前記蒸発室内を加温したときに発生する蒸気に前記レーザ光が照射可能に構成された較正用標準物質セルと、
前記分析セルおよび較正用標準物質セルを移動可能で、前記気体媒体流路および前記蒸発室のうち一方が選択的に前記レーザ光と交差可能に構成されたセル移動手段と、
前記気体媒体流路内または前記蒸発室内で発生する前記プラズマから発生する蛍光を集光する蛍光集光部と、
前記蛍光集光部で集光した前記蛍光の波長およびその強度に基づいて前記気体媒体内のエアロゾルに含まれる元素濃度を定量分析する分析部と、
を有することを特徴とするエアロゾル分光分析装置。
【請求項２】
前記蒸気の圧力は、前記蒸発室内の温度を加温して所定の温度を保持したときの飽和蒸気圧であって、この飽和蒸気圧に基づいて前記較正用化合物に含まれる元素濃度を定めるように構成されていることを特徴とする請求項１に記載のエアロゾル分光分析装置。
【請求項３】
前記エアロゾルはナトリウムを含み、前記較正用化合物はナトリウム化合物であって、前記ナトリウムを分析可能に構成されていることを特徴とする請求項１または請求項２に記載のエアロゾル分光分析装置。
【請求項４】
前記ナトリウム化合物は、炭酸水素ナトリウム、Ｌ−グルタミン酸ナトリウム、またはナトリウム含有食品添加物であることを特徴とする請求項３に記載のエアロゾル分光分析装置。
【請求項５】
前記分析セルおよび前記較正用標準物質セルは、互いに間隔をあけて並んで配置されて、
前記セル移動手段は、前記分析セルおよび前記較正用標準物質セルが前記間隔を保ちながら平行移動可能に構成されたスライド機構であることを特徴とする請求項１ないし請求項４のいずれか一項に記載のエアロゾル分光分析装置。
【請求項６】
前記分析セルおよび前記較正用標準物質セルは、互いに間隔をあけて並んで配置されて、
前記セル移動手段は、前記分析セルおよび前記較正用標準物質セルが前記間隔を保ちながら回転移動可能に構成されたリボルバ機構であることを特徴とする請求項１ないし請求項４のいずれか一項に記載のエアロゾル分光分析装置。
【請求項７】
気体媒体内のエアロゾルに含まれる元素濃度をレーザ生成プラズマ分光法により定量分析するエアロゾル分光分析装置の較正方法において、
前記エアロゾル分光分析装置は、
前記エアロゾルを含む前記気体媒体が供給される供給口と、前記気体媒体を排気する排気口と、前記供給口および排気口を互いに繋ぐように形成された気体媒体流路とが形成されて、この気体媒体流路とレーザ光の光路とが交差可能に構成された分析セルと、
前記分析セルの近傍に並んで配置されて前記エアロゾルに含まれて分析対象となる元素と同じ元素を含む較正用化合物を内部に収容して密封された蒸発室と、この蒸発室近傍に配置されて少なくとも異なる２種類の設定温度に制御可能なヒータとを備え、このヒータによって前記蒸発室内を加温したときに発生する蒸気に前記レーザ光が照射可能に構成された較正用標準物質セルと、
を有し、
当該較正方法は、
前記レーザ光を発振させるレーザ発振工程と、
前記蒸発室内を所定の第１温度に加温して前記較正用化合物の飽和蒸気を発生させる第１の加温工程と、
前記蒸発室と前記レーザ光の光路とを交差させるように前記較正用標準物質セルを移動させるセル移動工程と、
前記セル移動工程の後に、前記飽和蒸気に前記レーザ光を照射させて、プラズマ光を発生させる第１のプラズマ光発生工程と、
前記第１のプラズマ光発生工程の後に、前記プラズマ光から発生する蛍光を集光し、集光した前記蛍光から前記飽和蒸気に含まれる元素の濃度を導出する第１の元素濃度導出工程と、
前記第１の元素濃度導出工程の後に、前記第１温度とは異なる第２温度に加温して、前記飽和蒸気を発生させる第２の加温工程と、
前記第２の加温工程の後に、前記飽和蒸気に前記レーザ光を照射させて、プラズマ光を発生させる第２のプラズマ光発生工程と、
前記第２のプラズマ光発生工程の後に、前記プラズマ光から発生する蛍光を集光し、集光した前記蛍光から前記飽和蒸気に含まれる元素の濃度を導出する第２の元素濃度導出工程と、
前記第２の元素濃度導出工程の後に、少なくとも前記第１温度および第２温度それぞれの元素濃度に基づいて、温度に対する元素濃度の関係を導出する較正曲線を作成する工程と、
を有することを特徴とするエアロゾル分光分析装置の較正方法。
【発明の詳細な説明】
【技術分野】
【０００１】
本発明は、気体媒体内のエアロゾルに含まれる元素濃度をレーザ生成プラズマ分光法により定量分析するエアロゾル分光分析装置およびその較正方法に関する。
【背景技術】
【０００２】
高速炉プラントなどのプラント設備は、冷却材としてナトリウム（以下、Ｎａと称す。）を用いている。高速炉プラントを安全に運転するために、Ｎａが流通する配管などの外部の気体中に微少に漏えいするＮａを検出する必要がある。
【０００３】
Ｎａを検出する方法として、例えば非特許文献１に開示されているように、レーザ誘起ブレークダウン分光法を応用したＮａエアロゾルの計測系を用いる方法が知られている。この計測系（エアロゾル分光分析装置）は、Ｎａを溶融しＮａ蒸気を生成する溶融加熱容器、Ｎａ蒸気と高純度空気ガスを混合させエアロゾルを生成するミキシングチャンバ、およびＮａの溶融加熱容器やミキシングチャンバに高純度の窒素ガスや空気ガスを供給するガス供給系を有している。
【０００４】
このエアロゾル分光分析装置は、エアロゾルを含む気体中にレーザ集光照射を行ってプラズマを生成させて、気体中に微少に含有されるＮａエアロゾルを分解してＮａ原子化させてプラズマ発光を分光分析し、Ｎａ元素を選択的に検出するものである。
【０００５】
この装置を較正するためには、先ず、実際に金属Ｎａを加熱蒸気化して、酸化させることによって、模擬的にＮａエアロゾルを生成させる。このＮａエアロゾルを気体媒体で濃度の希釈を行う。レーザ分光分析によるＮａ発光強度とＮａエアロゾル濃度との相関をとって、較正曲線を作成している。
【０００６】
さらに、この希釈されたＮａエアロゾルのＮａ絶対濃度値は、Ｎａエアロゾルを含む気体媒体をフィルタに透過させて時間積分して濃縮付着させる。この濃縮付着させたものをサンプリング後に溶媒抽出して、原子吸光分析等によって評価している。
【先行技術文献】
【非特許文献】
【０００７】
【非特許文献１】大高雅彦、他１名、「レーザー誘起ブレークダウン分光法を用いたナトリウムエアロゾル検知に関する研究」、サイクル機構技報、２００３年３月、第１８号、ｐ．２３−２８
【発明の概要】
【発明が解決しようとする課題】
【０００８】
ところが、従来のエアロゾル分光分析装置は、装置本体に較正するための装置を内蔵していない。一般に、エアロゾル分光分析装置の較正は、先ず、較正用のＮａエアロゾルを発生させるＮａエアロゾル発生装置により発生させたＮａエアロゾルを、気体媒体で希釈する希釈装置を用いて、較正用標準物質の濃度を調整する。次に、調整した較正用標準物質をエアロゾル分光分析装置に実際に導入して、分光分析によりＮａ発光強度とＮａエアロゾル濃度との相関をとって、較正曲線を作成する。
【０００９】
Ｎａエアロゾル発生装置は、非常に複雑で大がかりな構造であり、運転も非常に難しい。したがって、エアロゾル分光分析装置に組み込んで一体化しようとすると、当該装置が大型化してしまい、製作コストも高くなる。
【００１０】
また、上記の較正装置および較正方法では、Ｎａエアロゾルの希釈率を制御することはできるが、希釈されたＮａエアロゾルのＮａ絶対濃度は制御が極めて難しい。このため、Ｎａエアロゾルを含む気体媒体をフィルタに透過させて時間積分して濃縮付着させたものを、サンプリング後に溶媒抽出して、原子吸光分析等によってＮａ絶対濃度を評価する必要がある。このため、元素を検出してから連続的に較正作業を行うことが困難になる場合がある。
【００１１】
本発明は上述した課題を解決するためになされたものであり、その目的は、エアロゾル分光分析装置を小型化し、且つ較正方法の効率を向上させることである。
【課題を解決するための手段】
【００１２】
上記目的を達成するための本発明に係るエアロゾル分光分析装置は、気体媒体内のエアロゾルに含まれる元素濃度をレーザ生成プラズマ分光法により定量分析するエアロゾル分光分析装置において、前記気体媒体内のエアロゾルに照射するとプラズマが発生するレーザ光を生成するレーザ照射部と、前記エアロゾルを含む前記気体媒体が供給される供給口と、前記気体媒体を排気する排気口と、前記供給口および排気口を互いに繋ぐように形成された気体媒体流路とが形成されて、この気体媒体流路と前記レーザ光の光路とが交差可能に構成された分析セルと、前記分析セルの近傍に並んで配置されて前記エアロゾルに含まれて分析対象となる元素と同じ元素を含む較正用化合物を内部に収容して密封された蒸発室と、この蒸発室近傍に配置されて少なくとも異なる２種類の設定温度に制御可能なヒータとを備え、このヒータによって前記蒸発室内を加温したときに発生する蒸気に前記レーザ光が照射可能に構成された較正用標準物質セルと、前記分析セルおよび較正用標準物質セルを移動可能で、前記気体媒体流路および前記蒸発室のうち一方が選択的に前記レーザ光と交差可能に構成されたセル移動手段と、前記気体媒体流路内または前記蒸発室内で発生する前記プラズマから発生する蛍光を集光する蛍光集光部と、前記蛍光集光部で集光した前記蛍光の波長およびその強度に基づいて前記気体媒体内のエアロゾルに含まれる元素濃度を定量分析する分析部と、を有することを特徴とする。
【００１３】
また、本発明に係るエアロゾル分光分析装置の較正方法は、気体媒体内のエアロゾルに含まれる元素濃度をレーザ生成プラズマ分光法により定量分析するエアロゾル分光分析装置の較正方法において、前記エアロゾル分光分析装置は、前記エアロゾルを含む前記気体媒体が供給される供給口と、前記気体媒体を排気する排気口と、前記供給口および排気口を互いに繋ぐように形成された気体媒体流路とが形成されて、この気体媒体流路とレーザ光の光路とが交差可能に構成された分析セルと、前記分析セルの近傍に並んで配置されて前記エアロゾルに含まれて分析対象となる元素と同じ元素を含む較正用化合物を内部に収容して密封された蒸発室と、この蒸発室近傍に配置されて少なくとも異なる２種類の設定温度に制御可能なヒータとを備え、このヒータによって前記蒸発室内を加温したときに発生する蒸気に前記レーザ光が照射可能に構成された較正用標準物質セルと、を有し、当該較正方法は、前記レーザ光を発振させるレーザ発振工程と、前記蒸発室内を所定の第１温度に加温して前記較正用化合物の飽和蒸気を発生させる第１の加温工程と、前記蒸発室と前記レーザ光の光路とを交差させるように前記較正用標準物質セルを移動させるセル移動工程と、前記セル移動工程の後に、前記飽和蒸気に前記レーザ光を照射させて、プラズマ光を発生させる第１のプラズマ光発生工程と、前記第１のプラズマ光発生工程の後に、前記プラズマ光から発生する蛍光を集光し、集光した前記蛍光から前記飽和蒸気に含まれる元素の濃度を導出する第１の元素濃度導出工程と、前記第１の元素濃度導出工程の後に、前記第１温度とは異なる第２温度に加温して、前記飽和蒸気を発生させる第２の加温工程と、前記第２の加温工程の後に、前記飽和蒸気に前記レーザ光を照射させて、プラズマ光を発生させる第２のプラズマ光発生工程と、前記第２のプラズマ光発生工程の後に、前記プラズマ光から発生する蛍光を集光し、集光した前記蛍光から前記飽和蒸気に含まれる元素の濃度を導出する第２の元素濃度導出工程と、前記第２の元素濃度導出工程の後に、少なくとも前記第１温度および第２温度それぞれの元素濃度に基づいて、温度に対する元素濃度の関係を導出する較正曲線を作成する工程と、を有することを特徴とする。
【発明の効果】
【００１４】
本発明によれば、エアロゾル分光分析装置を小型化し、且つ較正方法の効率を向上させることが可能になる。
【図面の簡単な説明】
【００１５】
【図１】本発明に係るエアロゾル分光分析装置の第１の実施形態の構成を示す概略斜視図であって、レーザ光の光路が分析セルと交差している状態を示している。
【図２】図１のエアロゾル分光分析装置の較正用標準物質セルがレーザ光の光路と交差している状態を示す概略斜視図である。
【図３】図１の較正用標準物質セル内のＮａ化合物を加温する温度に対するＮａ濃度特性の例を示すグラフである。
【図４】本発明に係るエアロゾル分光分析装置の第２の実施形態の構成を示す概略斜視図である。
【発明を実施するための形態】
【００１６】
以下、本発明に係るエアロゾル分光分析装置の実施形態について、図面を参照して説明する。
【００１７】
［第１の実施形態］
本発明に係るエアロゾル分光分析装置の第１の実施形態について、図１〜図３を用いて説明する。図１は、本実施形態のエアロゾル分光分析装置の構成を示す概略斜視図であって、レーザ光５の光路が分析セル２と交差している状態を示している。図２は、図１のエアロゾル分光分析装置の較正用標準物質セル１６がレーザ光５の光路と交差している状態を示す概略斜視図である。図３は、図１の較正用標準物質セル１６内のＮａ化合物を加温する温度に対するＮａ濃度特性の例を示すグラフである。
【００１８】
先ず、本実施形態のエアロゾル分光分析装置の構成について、説明する。
【００１９】
本実施形態のエアロゾル分光分析装置は、図１に示すように、レーザ光５を照射可能なレーザ照射部４と、分析対象元素を含むエアロゾルが混合された気体媒体が流通する分析セル２と、較正用標準物質１９となる化合物（較正用化合物）が密閉収容された較正用標準物質セル１６と、を有する。さらに、分析セル２で発する蛍光を集光する蛍光集光部２４と、蛍光集光部２４で集光した蛍光の波長およびその強度に基づいてエアロゾルに含まれる元素濃度を定量分析する分析部２５を有する。さらに、分析セル２および較正用標準物質セル１６を平行移動させるスライド機構１５ａを有している。
【００２０】
レーザ照射部４は、気体媒体内のエアロゾルに照射するとプラズマが発生するレーザ光５を生成する。このレーザ光５は、高出力パルスレーザ光で、例えば、パルス幅１０ｎｓ、出力５０ｍＪ／パルスのＮｄ：ＹＡＧレーザ基本波（波長１０６４ｎｍ）を用いるとよい。
【００２１】
分析セル２は、石英材質などにより形成された長手方向長さが５０ｍｍ程度の角柱状の管で、横断面の断面形状が約１０ｍｍ×１０ｍｍの正方形である。分析セル２の一方の正方形端面には、エアロゾルを含む気体媒体が供給される供給口１ａが形成されている。この供給口１ａには試料導入管１が接続されており、この試料導入管１を流通する気体媒体が、分析セル２内に供給される。
【００２２】
もう一方の正方形端面には、気体媒体を排気する排気口３ａが形成されている。この排気口３ａには試料排出管３が接続されており、分析セル２の外部に排出される気体媒体は、この試料排出管３を流通する。
【００２３】
分析セル２の内部には、供給口１ａおよび排気口３ａを互いに繋ぐ気体媒体流路２ａが形成されている。この気体媒体流路２ａは、分析セル２の長手方向に沿って気体媒体が流通するように形成されている。レーザ照射部４により発生するレーザ光５は、その焦点が気体媒体流路２ａの長手方向の中心部、すなわち管の中心部に焦点を結ぶように、気体媒体流路２ａと交差する。
【００２４】
較正用標準物質セル１６は、分析セル２の近傍に並んで配置されている。較正用標準物質セル１６には蒸発室１８が形成されている。蒸発室１８は、石英材質などにより形成された角柱状の管で、横断面の断面形状が約１０ｍｍ×１０ｍｍの正方形である。蒸発室１８の内部には、較正用標準物質１９となる較正用化合物が密閉収容されている。この較正用化合物は、分析対象となる元素と同じ元素を含む化合物である。すなわち、分析セル２で分析する気体媒体内のエアロゾルに含まれる元素と同じ元素を含んでいる。
【００２５】
本実施形態では、ＮａエアロゾルのＮａ元素を分析対象としているため、較正用化合物は、Ｎａ化合物である。Ｎａエアロゾルを模擬する（代替となる）較正用標準物質１９は、反応性が低く化学的に安定なＮａ化合物が適切である。例えば、炭酸水素ナトリウム、Ｌ−グルタミン酸ナトリウム、またはＮａ含有食品添加物などが用いられている。
【００２６】
較正用標準物質セル１６は、蒸発室１８に隣接するようにヒータ１７が設置されている。このヒータ１７は、温度制御部２１を有し、少なくとも異なる２種類の設定温度に一定に制御可能である。詳細な図示は省略するが、ヒータ１７が蒸発室１８内を加温する設定温度または蒸発室１８内の温度などを測定する温度測定端子２０の測定結果に基づいて、設定した温度になるように制御を行う。
【００２７】
蒸発室１８は、ヒータ１７によって蒸発室１８内を加温したときに発生する蒸気にレーザ光５の焦点が交差するように配置される。なお、較正用標準物質セル１６は密封系で、試料導入管１を経由してきた気体媒体は導入されない構造となっている。
【００２８】
分析セル２および較正用標準物質セル１６それぞれは、スライド機構１５ａ上に互いに所定の間隔をあけて並んで配置されている。このスライド機構１５ａは、分析セル２および較正用標準物質セル１６が所定の間隔を保ちながら平行移動可能で、分析セル２の気体媒体流路２ａおよび較正用標準物質セル１６の蒸発室１８のうち、一方が選択的にレーザ光５の光路と交差するように移動する。
【００２９】
本実施形態では、図１に示すように、分析セル２の気体媒体流路２ａがレーザ光５の光路と交差している状態から、図２に示すように、蒸発室１８とレーザ光５の光路とが交差する状態になるように平行移動させることができる。また、上記と逆方向に移動することもできる。
【００３０】
蛍光集光部２４は、詳細な図示は省略するが、分析セル２または較正用標準物質セル１６で生成されたプラズマから発光するプラズマ発光８を集光するプラズマ発光用集光レンズ９などを備えている。
【００３１】
分析部２５は、プラズマ発光用集光レンズ９により集光された蛍光が透過して２方向に分岐させるビームスプリッタ１０と、分岐されたプラズマ発光８それぞれを取り込むＮａ蛍光信号測定用光電子増倍管１３およびバックグラウンド信号測定用光電子増倍管１４を有する。さらに、Ｎａ蛍光信号測定用光電子増倍管１３およびバックグラウンド信号測定用光電子増倍管１４それぞれと接続された信号演算処理部２３を有する。
【００３２】
続いて、本実施形態のエアロゾル分光分析装置によって、元素濃度分析を行う方法を説明する。
【００３３】
先ず、較正用標準物質セル１６を用いて、較正を行う。レーザ光５の光路と蒸発室１８とが交差するように、スライド機構１５ａによって、較正用標準物質セル１６を平行移動させる。
【００３４】
Ｎａ化合物が密閉収容された蒸発室１８内を、ヒータ１７によって所定の一定な温度で加温する。この加温によって、Ｎａ化合物の飽和蒸気を発生させる。
【００３５】
レーザ照射部４によって、上記のレーザ光５が蒸発室１８に向かって照射される。このレーザ光５は、レーザ光用集光レンズ６により集光照射されて、蒸発室１８内の飽和蒸気中にプラズマを生成させる。
【００３６】
プラズマ光７からの発光（プラズマ発光８）は、プラズマ発光用集光レンズ９を用いて集光さる。集光されたプラズマ発光８は、ビームスプリッタ１０を介して直交する２方向へ、光量が等しくなるように分配される。
【００３７】
２方向へ分配されたプラズマ発光８のうち一方は、Ｎａ蛍光波長のみを透過するＮａ蛍光信号測定用光学フィルタ１１を介してＮａ蛍光信号測定用光電子増倍管１３に送られて光検出される。もう一方は、Ｎａ蛍光波長から約１ｎｍ程度透過中心波長がずらされてＮａ蛍光を透過しないバックグラウンド信号測定用光学フィルタ１２を介してバックグラウンド信号測定用光電子増倍管１４に送られて光検出される。
【００３８】
Ｎａ蛍光信号測定用光電子増倍管１３から送られる蛍光信号は、第１信号ケーブル２２ａを経由して、信号演算処理部２３に導かれる。バックグラウンド信号測定用光電子増倍管１４から送られるバックグラウンド信号は、第２信号ケーブル２２ｂを経由して信号演算処理部２３に導かれる。信号演算処理部２３は、蛍光信号およびバックグラウンド信号の時間積分信号の差分処理を行う。
【００３９】
Ｎａ蛍光信号は、レーザ照射直後、急峻に立ち上がる。レーザ照射の初期の時間帯ではプラズマのバックグラウンド蛍光に埋もれているが、バックグラウンド蛍光が減衰した後に、明りょうにＮａ蛍光成分が現れて、ゆっくりと減衰する。
【００４０】
このため、例えばゲート立ち上がりは、レーザ照射時刻から５００ｎｓ後で、ゲート幅が１００μｓの時間積分処理を、蛍光信号およびバックグラウンド信号それぞれに対して行う。信号演算処理部２３は、両者の時間積分信号の差分処理を行った結果がＮａ濃度に比例することを用いて、Ｎａ濃度を求める。
【００４１】
上記の手順を、複数の加温温度それぞれで行うことによって、図３に示すように、加温温度に対するＮａ濃度特性を示す較正曲線を作成し、装置較正を行う。
【００４２】
装置較正を行った後に、レーザ光５の光路と分析セル２の気体媒体流路２ａとが交差するように、スライド機構１５ａによって、分析セル２を平行移動させる。
【００４３】
次に、レーザ照射部４によって、レーザ光５が分析セル２に向かって照射させる。このレーザ光５は、レーザ光用集光レンズ６により集光照射されて、分析セル２内を流通する気体媒体、すなわち分光分析の対象となる気体媒体中にプラズマを生成させて、上記手順と同様に、Ｎａ濃度を求める。
【００４４】
以上の説明からわかるように本実施形態によれば、エアロゾル分光分析装置の本体に小型な較正装置を組み込んで、一体化することが可能になる。これにより、装置の製作コストが低減できる。
【００４５】
また、エアロゾル分光分析装置を設置する場所に、当該装置とは別途に大型の較正装置を設置する必要がなくなるため、より効率よくエアロゾル分光分析装置の較正を行うことが可能になる。
【００４６】
また、上記例のようなＮａ化合物は反応性が低く化学的に安定であり、取り扱いも非常に容易である。常温では蒸気圧は低いが、５０℃程度まで加温する間に、数Ｔｏｒｒ程度の蒸気圧を容易に得ることができる。このため、一般にAntoineの式で飽和蒸気圧曲線の係数を求めておけば、加温温度の制御によって蒸発室１８内（密封系）の飽和蒸気が規定できるため、Ｎａ濃度の絶対値をパラメータとして、分光分析装置の較正曲線取得を、サンプリング分析などを行うことなく、元素を検出してから連続的に行うことが可能になる。したがって、効率的に較正を行うことができる。
【００４７】
［第２の実施形態］
本発明に係るエアロゾル分光分析装置の第２の実施形態について、図４を用いて説明する。図４は、本実施形態のエアロゾル分光分析装置の第２の実施形態の構成を示す概略斜視図である。なお、本実施形態は、第１の実施形態の変形例であって、第１の実施形態と同一部分または類似部分には、同一符号を付して、重複説明を省略する。
【００４８】
本実施形態では、第１の実施形態の平行移動するスライド機構１５ａに替えて、分析セル２および較正用標準物質セル１６が所定の間隔を保ちながら回転移動可能に構成されたリボルバ機構１５ｂを有している。
【００４９】
これにより、第１の実施形態と同様に、分析セル２の気体媒体流路２ａおよび較正用標準物質セル１６の蒸発室１８のうちどちらか一方を、選択的にレーザ光５と交差するように移動することが可能となる。
【００５０】
［その他の実施形態］
上記実施形態の説明は、本発明を説明するための例示であって、特許請求の範囲に記載の発明を限定するものではない。また、本発明の各部構成は上記実施形態に限らず、特許請求の範囲に記載の技術的範囲内で種々の変形が可能である。
【００５１】
上記実施形態では、ＮａエアロゾルのＮａ濃度を分析しているが、これに限らない。Ｎａ以外の元素分析を行うことも可能である。
【符号の説明】
【００５２】
１…試料導入管、１ａ…供給口、２…分析セル、２ａ…気体媒体流路、３…試料排出管、３ａ…排気口、４…レーザ照射部、５…レーザ光、６…レーザ光用集光レンズ、７…プラズマ光、８…プラズマ発光、９…プラズマ発光用集光レンズ、１０…ビームスプリッタ、１１…Ｎａ蛍光信号測定用光学フィルタ、１２…バックグラウンド信号測定用光学フィルタ、１３…Ｎａ蛍光信号測定用光電子増倍管、１４…バックグラウンド信号測定用光電子増倍管、１５ａ…スライド機構、１５ｂ…リボルバ機構、１６…較正用標準物質セル、１７…ヒータ、１８…蒸発室、１９…較正用標準物質、２０…温度測定端子、２１…温度制御部、２２ａ…第１信号ケーブル、２２ｂ…第２信号ケーブル、２３…信号演算処理部、２４…蛍光集光部、２５…分析部
【図１】
2010169444.tif 000003
【図２】
2010169444.tif 000004
【図３】
2010169444.tif 000005
【図４】
2010169444.tif 000006